(57)【特許請求の範囲】
【請求項１】
流体透過性表面シート（２）、裏面シート（３）、および前記表面シート（２）と前記裏面シート（３）との間に配置されている少なくとも２つのコア層（５、６）を含む吸収コア（４）を含む折り畳まれた吸収性物品（１）であって、前記第１のコア層（５）が前記表面シート（２）と前記第２のコア層（６）との間に配置されており、前記表面シート（２）および前記裏面シート（３）は共に、前記吸収コア（４）の横方向外側に延在しており、前記吸収コア（４）は、その長手方向（Ａ）に、前部（７）、後部（９）、および前記前部（７）と前記後部（９）との間に配置されている中間部（８）を有し、前記吸収コア（４）の前記前部（７）と前記中間部（８）との間の移行部の横幅（１０−１０’）が前記吸収コア（４）の残部の横幅より狭く、前記物品（１）の第１の端部（１９）が、第１の横折畳み線（１１）を中心として、前記物品（１）の中央領域（２１）を覆って折り畳まれ、前記第１の折畳み線は、前記吸収コア（４）の前記前部（７）と前記中間部（８）との間の、前記横幅が狭い移行部と一致している、折り畳まれた吸収性物品（１）において、
前記第１のコア層（５）は、前記吸収コア（４）の前記中間部（８）、および前記前部（７）の少なくとも一部に亘って延在しており、前記第２のコア層（６）は、前記吸収コア（４）の前記前部（７）、前記中間部（８）、および前記後部（９）に亘って延在しており、前記物品の第２の端部（２０）が第２の横折畳み線（１２）を中心として、前記物品（１）の前記中央領域（２１）を覆って折り畳まれ、前記第２の折畳み線（１２）は前記第１のコア層（５）の横方向後縁部（１３）に一致しており、（ｉ）前記第１の端部（１９）は前記中央領域（２１）上へ折り畳まれ、前記第２の端部（２０）は前記第１の端部（１９）上へ折り畳まれるか、または（ｉｉ）前記第２の端部（２０）は前記中央領域（２１）上へ折り畳まれ、前記第１の端部（１９）は前記第２の端部（２０）上へ折り畳まれていることを特徴とする、折り畳まれた吸収性物品（１）。
【請求項２】
前記物品（１）は生理用ナプキンまたはパッドである、請求項１に記載の吸収性物品。
【請求項３】
前記第１のコア層（５）は前記吸収コア（４）の前記後部（９）内へ延在していない、請求項１または２に記載の吸収性物品。
【請求項４】
前記吸収コア（４）の前記前部（７）、前記後部（９）、および前記中間部（８）は等しい長さである、請求項１から３のいずれか一項に記載の吸収性物品。
【請求項５】
前記第２のコア層（６）の前記前部（７）は前記第２のコア層（６）の長手方向全長の２０〜４０％を占める、請求項１から４のいずれか一項に記載の吸収性物品。
【請求項６】
前記吸収コア（４）の前記後部（９）の厚さは前記吸収コア（４）の前記中間部（８）の厚さの２５％〜７０％である、請求項１から５のいずれか一項に記載の吸収性物品。
【請求項７】
前記吸収コア（４）の前記前部（７）の厚さは前記吸収コア（４）の前記中間部（８）の前記厚さの２５％〜７０％である、請求項１から６のいずれか一項に記載の吸収性物品。
【請求項８】
前記物品（１）は、前記表面シート（２）と前記吸収コア（４）との間に配置されている捕捉層（１４）をさらに含み、前記捕捉層（１４）は、少なくとも、前記第１のコア層（５）の前記長手方向（Ａ）延在部の表面領域を覆う表面延在部を有する、請求項１から７のいずれか一項に記載の吸収性物品。
【請求項９】
前記捕捉層（１４）は前記第２の横折畳み線（１２）を越えて前記長手方向（Ａ）に延在部を有し、前記吸収コア（４）の前記後部（９）内へ延在している、請求項８に記載の吸収性物品。
【請求項１０】
前記吸収コアの前記前部（７）と前記中間部（８）との間の前記移行部の前記横幅（１０−１０’）は前記吸収コア（４）の前記前部（７）の最広幅の５０％〜７５％である、請求項１から９のいずれか一項に記載の吸収性物品。
【請求項１１】
弾性部材（１６、１６’）が、少なくとも前記吸収コア（４）の前記前部（７）と前記中間部（８）との間の前記移行部の横方向外側に、前記物品（１）の各長手方向（Ａ）側縁部に沿って配置されている、請求項１から１０のいずれか一項に記載の吸収性物品。
【請求項１２】
前記物品（１）は、前記弾性部材（１６、１６’）と、前記吸収コア（４）の前記前部（７）と前記中間部（８）との間の前記移行部との間に配置されている吸収材料のない間隔（１７、１７’）を有する、請求項１１に記載の吸収性物品。
【請求項１３】
各弾性部材（１６、１６’）は、少なくとも前記吸収コア（４）の前記前部（７）の最広部の外側縁部（１８、１８’）まで、前記長手方向（Ａ）に延在している、請求項１１または１２に記載の吸収性物品。
【請求項１４】
各弾性部材（１６、１６’）は、前記第１のコア層（５）の前記後部の前記横方向後縁部（１３）を越えて、前記長手方向（Ａ）に延在していない、請求項１１から１３のいずれか一項に記載の吸収性物品。
【請求項１５】
前記第１のコア層（５）の表面積は前記第２のコア層（６）の前記表面積の３０％〜６０％である、請求項１から１４のいずれか一項に記載の吸収性物品。
【請求項１６】
請求項１から１５に記載の複数の折り畳まれた吸収性物品（１）を含むパッケージ。
【請求項１７】
吸収性物品（１）を折り畳む方法であって、前記物品（１）は、流体透過性表面シート（２）、裏面シート（３）、前記表面シート（２）と前記裏面シート（３）との間に配置されている少なくとも２つのコア層（５、６）を含む吸収コア（４）を含み、前記第１のコア層（５）が前記表面シート（２）と前記第２のコア層（６）との間に配置されており、前記表面シート（２）および前記裏面シート（３）は共に、前記吸収コア（４）の横方向外側に延在しており、前記吸収コア（４）は、その長手方向（Ａ）に、前部（７）、後部（９）、および前記前部（７）と前記後部（９）との間に配置されている中間部（８）を有し、前記吸収コア（４）の前記前部（７）と前記中間部（８）との間の移行部の横幅（１０−１０’）が前記吸収コア（４）の残部の前記横幅より狭く、
ａ）前記物品（１）の第１の端部（１９）を、第１の横折畳み線を中心として、前記物品（１）の中央領域（２１）上へ折り畳むステップであり、前記第１の横折畳み線は、前記吸収コア（４）の前記前部（７）と前記中間部（８）との間の、横幅が狭い移行部と一致している、折り畳むステップと、
ｂ）前記物品の第２の端部（２０）を、第２の横折畳み線（１２）を中心として、前記第１の折り畳まれた端部（１９）上へ折り畳むステップであり、前記第２の折畳み線（１２）は前記第１のコア層（５）の横方向後縁部（１３）に一致しており、前記第１のコア層（５）は、前記吸収コア（４）の前記中間部（８）、および前記前部（７）の少なくとも一部に亘って延在しており、前記第２のコア層（６）は、前記吸収コア（４）の前記前部（７）、前記中間部（８）、および前記後部（９）に亘って延在している、折り畳むステップと、
を含む、方法。
【請求項１８】
吸収性物品（１）を折り畳む方法であって、前記物品（１）は、流体透過性表面シート（２）、裏面シート（３）、前記表面シート（２）と前記裏面シート（３）との間に配置されている少なくとも２つのコア層（５、６）を含む吸収コア（４）を含み、前記第１のコア層（５）が前記表面シート（２）と前記第２のコア層（６）との間に配置されており、前記表面シート（２）および前記裏面シート（３）は共に、前記吸収コア（４）の横方向外側に延在しており、前記吸収コア（４）は、その長手方向（Ａ）に、前部（７）、後部（９）、および前記前部（７）と前記後部（９）との間に配置されている中間部（８）を有し、前記吸収コア（４）の前記前部（７）と前記中間部（８）との間の移行部の横幅（１０−１０’）が前記吸収コア（４）の残部の横幅より狭く、
ａ）前記物品（１）の第２の端部（２０）を、第２の横折畳み線（１２）を中心として、前記物品（１）の中央領域（２１）上へ折り畳むステップと、
ｂ）前記物品（１）の第１の端部（１９）を、第１の横折畳み線（１１）を中心として、前記第２の折り畳まれた端部（２０）上へ折り畳むステップであり、前記第１の折畳み線は、前記吸収コア（４）の前記前部（７）と前記中間部（８）との間の前記横幅が狭い移行部と一致している、折り畳むステップと
を含む、方法において、
ｃ）前記第２の折畳み線（１２）は前記第１のコア層（５）の横方向後縁部（１３）に一致しており、前記第１のコア層（５）は、前記吸収コア（４）の前記中間部（８）、および前記前部（７）の少なくとも一部に亘って延在しており、前記第２のコア層（６）は、前記吸収コア（４）の前記前部（７）、前記中間部（８）、および前記後部（９）に亘って延在している、
ことを特徴とする、方法。
【発明の詳細な説明】
【技術分野】
【０００１】
本開示は、生理用ナプキンまたはパッドなどの吸収性物品に関する。また、本開示は、吸収性物品を折り畳む方法に関する。
【背景技術】
【０００２】
普通の下着パンツ内に装着される種類の吸収性物品は、成人の失禁または女性の用途のための吸収性ナプキンまたはパッドを含む。
【０００３】
ナプキンまたはパッドは、一般に、体液を受け入れ、保持する吸収コアを設けられている。効率的に機能するそのような吸収性物品では、吸収コアは、体液を付与点から構造体内へ迅速に捕捉し、その後、該体液を吸収コア内で全体に亘って分配し、漏れの封じ込めを実現しなければならない。また、該物品は快適であり、個別であるべきである。特許文献１が、改善された適合性と漏れ防御のための吸収性物品を開示している。また、バッグまたはポケット内で容易に携帯するためのかつ使用後に簡単に廃棄するための個々のパッケージサイズを得るために、物品はこぢんまりしておりかつ容易に折り畳めることが望ましい。
【先行技術文献】
【特許文献】
【０００４】
【特許文献１】国際公開第２０１３／１８６０９８号
【発明の概要】
【発明が解決しようとする課題】
【０００５】
本発明の目的は、言及されている欠点を軽減する、改善された解決策を提供することである。
【課題を解決するための手段】
【０００６】
本発明は、請求項１に記載の折り畳まれた吸収性物品、請求項１６に記載の、複数の折り畳まれた吸収性物品を含むパッケージ、および新規の改良された構造を有する吸収性物品の、新規の改善された容易な折畳みを実現する、請求項１７および１８に記載の方法に関する。
【０００７】
したがって、本開示は、流体透過性表面シート、裏面シート、および該表面シートと該裏面シートとの間に配置されている少なくとも２つのコア層を含む吸収コアを含む、折り畳まれた吸収性物品であって、第１のコア層が表面シートと第２のコア層との間に配置されており、表面シートおよび裏面シートは共に、吸収コアの横方向外側に延在しており、コアは、その長手方向に、前部、後部、および該前部と該後部との間に配置されている中間部を有し、コアの前部と中間部との間の移行部の横幅がコアの残部の横幅より狭く、物品の第１の端部が、第１の横折畳み線を中心として、物品の中央領域を覆って折り畳まれ、該第１の折畳み線は、コアの前部と中間部との間の、横幅が狭い移行部（ｎａｒｒｏｗ  ｔｒａｎｓｖｅｒｓａｌ  ｔｒａｎｓｉｔｉｏｎ）と一致しているか、またはそれに隣接しており、第１のコア層は、吸収コアの中間部、および前部の少なくとも一部に亘って延在しており、第２のコア層は、吸収コアの前部、中間部、および後部に亘って延在しており、物品の第２の端部が、第２の横折畳み線を中心として、物品の中央領域を覆って折り畳まれ、該第２の折畳み線は第１のコア層の横方向後縁部に隣接しており、（ｉ）第１の端部は中央領域上へ折り畳まれ、第２の端部は第１の端部上へ折り畳まれるか、または（ｉｉ）第２の端部は中央領域上へ折り畳まれ、第１の端部は第２の端部上へ折り畳まれる、折り畳まれた吸収性物品に関する。
【０００８】
第２の折畳み線が第１のコア層の横方向後縁部に隣接していることは、中央部を覆って第２の端部を折り畳むことを容易にする。さらに、第２の端部は、このように、本質的に第２のコア層を含むだけなので、折り畳まれた吸収性物品は減少した均質な厚さを有する。折り畳まれた吸収性物品の該減少した均質な厚さは、複数の折り畳まれた吸収性物品を含むパッケージ内での吸収性物品の積重ね性能（ｓｔａｃｋａｂｉｌｉｔｙ）を向上させる。したがって、減少した大きさを有する安定したパッケージが達成され得る。
【０００９】
また、本開示は、複数の折り畳まれた吸収性物品を含むパッケージに関する。
【００１０】
一態様によれば、本開示は、流体透過性表面シート、裏面シート、および該表面シートと該裏面シートとの間に配置されている少なくとも２つのコア層を含む吸収コアを含み、第１のコア層が表面シートと第２のコア層との間に配置されており、表面シートおよび裏面シートは共に、吸収コアの横方向外側に延在しており、コアは、その長手方向に、前部、後部、および該前部と該後部との間に配置されている中間部を有し、コアの前部と中間部との間の移行部の横幅がコアの残部の横幅より狭く、
ａ）物品の第１の端部を、第１の横折畳み線を中心として、物品の中央領域上へ折り畳むステップであり、該第１の横折畳み線は、コアの前部と中間部との間の、横幅が狭い移行部と一致するか、またはそれに隣接している、折り畳むステップと、
ｂ）物品の第２の端部を、第２の横折畳み線を中心として、第１の折り畳まれた端部上へ折り畳むステップであり、該第２の折畳み線は第１のコア層の横方向後縁部に隣接しており、第１のコア層は、吸収コアの中間部、および前部の少なくとも一部に亘って延在しており、第２のコア層は、吸収コアの前部、中間部、および後部に亘って延在している、折り畳むステップと
を含む、吸収性物品を折り畳む方法に関する。
【００１１】
さらなる態様によれば、本開示は、流体透過性表面シート、裏面シート、および該表面シートと該裏面シートとの間に配置されている少なくとも２つのコア層を含む吸収コアを含み、第１のコア層が表面シートと第２のコア層との間に配置されており、表面シートおよび裏面シートは共に、吸収コアの横方向外側に延在しており、コアは、その長手方向（Ａ）に、前部、後部、および該前部と該後部との間に配置されている中間部を有し、コアの前部と中間部との間の移行部の横幅がコアの残部の横幅より狭く、
ａ）物品の第２の端部を、第２の横折畳み線を中心として、物品の中央領域上へ折り畳むステップと、
ｂ）物品の第１の端部を、第１の横折畳み線を中心として、第２の折り畳まれた端部上へ折り畳むステップであり、該第１の折畳み線は、コアの前部と中間部との間の、横幅が狭い移行部と一致しているか、またはそれに隣接している、折り畳むステップと
を含み、
ｃ）第２の折畳み線は第１のコア層の横方向後縁部に隣接しており、該第１のコア層は吸収コアの中間部、および前部の少なくとも一部に亘って延在しており、第２のコア層は、吸収コアの前部、中間部、および後部に亘って延在している、
吸収性物品を折り畳む方法に関する。
【００１２】
吸収性物品は、尿漏れ防止パッドまたは生理用ナプキンの形である可能性がある。該物品は女性の用途または失禁用途のためのものであってもよく、全方向に完全に広げられると、細長い、略矩形の形状を有する可能性がある。この場合、略矩形の形状は、例えば、吸収性物品の角部が丸い可能性があること、または吸収性物品の縁部が完全に直線であるとは限らないことも包含することが意図されている。吸収性物品は、等しい長さを有しかつ概ね同一方向に延在している２つの長手方向側縁部を有し得る。
【００１３】
吸収性物品の表面シートおよび裏面シートは共に、物品の全周に沿って、吸収コアの横方向外側に延在していてもよく、漏れ防衛手段のための吸収コアの周縁部を巡る縁継ぎ手において互いに接続されていてもよい。表面シートは裏面シートの一部を覆って、縁部障壁を形成していてもよい。
【００１４】
表面シートは、本目的に適した、すなわち柔らかくかつ液体透過性である、任意の材料で構成されていてもよい。表面シート材料の例が、不織材料、有孔プラスチックフィルム、プラスチックまたは布地のメッシュ、および流体透過性発泡層である。また、表面シートが、流体透過性の装着者対向面の異なる部分内の異なる材料で構成されているように、２つ以上の表面シート材料で構成されている積層が採用されていてもよい。
【００１５】
裏面シートは流体不透過性であってもよい。単に流体忌避性である裏面シート材料が、特に、比較的少量の尿が吸収されることが見込まれる場合に使用され得る。該裏面シートは、ポリエチレンまたはポリプロピレンなどの、薄い可撓性の流体不透過性プラスチックフィルムであってもよいが、流体不透過性不織材料、流体不透過性発泡体、および流体不透過性積層も考えられる。裏面シートは通気性があってもよく、空気および蒸気が該裏面シートを通過し得ることを意味する。さらに、裏面シートは、不織材料の外側衣類対向面を有し得る。
【００１６】
コアは、その長手方向に、前部、後部、および該前部と該後部との間に配置されている中間部を有し、コアの前部と中間部との間の移行部の横幅がコアの残部の横幅より狭い。コアの前部と中間部との間の移行部の横幅が吸収コアの前部の最広幅の５０〜７５％であり得る。
【００１７】
吸収コアは少なくとも２つの吸収コア層を含む。第１のコア層が表面シートと第２のコア層との間に配置されている。該第１のコア層は、吸収コアの中間部、および前部の少なくとも一部に亘って延在しており、該第２のコア層は、吸収コアの前部、中間部、および後部に亘って延在している。第１のコア層は吸収コアの後部内へ延在していない可能性がある。第１のコア層は、吸収コアの前部の長手方向長さの最大７５％または最大６０％の、吸収コアの前部内への延在部を有し得る。コアの前部、後部、および中間部は実質的に等しい長さであってもよい。コアの前部、後部、および中間部の各々の長さは、吸収コアの長手方向長さの２５〜４０％を占め得る。第２の吸収層の前部は、第２の吸収層の長手方向全長の２０〜４０％を占め得る。第１のコア層の表面積は第２のコア層の表面積の３０〜６０％であり得る。
【００１８】
吸収コアの後部の厚さはコアの中間部の厚さの２５〜７０％であってもよいか、または３０〜６０％もしくは３５〜５０％であってもよく、容易な折畳みを改善する。吸収コアの前部の厚さはコアの中間部の厚さの２５〜７０％であってもよいか、または３０〜６０％もしくは３５〜５０％であってもよく、容易な折畳みを改善する。
【００１９】
吸収コアは、１つまたは複数の層のセルロース綿毛パルプ、発泡体、ハイロフト等の、任意の適切な吸収材料または流体吸収材料で作製されていてもよい。吸収コアは、ヒドロゲルの形成時に大量の流体を吸収し、保持する能力を有する材料である、超吸収体（ｓｕｐｅｒａｂｓｏｒｂｅｎｔ）として一般に知られている、高吸収性ポリマー材料の繊維または粒子を含有していてもよい。該超吸収体はセルロース綿毛パルプと混合されていてもよく、かつ／または吸収コア内のポケットもしくは層内に配置されていてもよい。繊維はパルプ繊維であってもよく、超吸収材料はポリアクリル基粒子であってもよい。吸収構造は少なくとも２０％の超吸収体を含んでいてもよく、２０〜８０％の超吸収体と８０〜２０％のパルプ繊維とを含んでいてもよい。吸収コアは、吸収コアの特性を向上させるための構成要素をさらに組み込んでいてもよい。そのような構成要素のいくつかの例が、バインダ繊維、流体分散材料、ウェットインジケータ、流体捕捉材料等である。
【００２０】
吸収層は均質構造であってもよいか、またはそれ自体において、同一材料または異なる材料の吸収積層などの、層状構造であってもよい。吸収層は均一の厚さを有していてもよいか、または層の異なる部分の厚さが変化してもよい。同様に、基本重量および組成は吸収層内で変化してもよい。例として、吸収層は吸収繊維および／または非吸収繊維と超吸収材料との混合物を含んでいてもよく、繊維に対する超吸収材料の比率は層において変化し得る。
【００２１】
捕捉層が表面シートと吸収コアとの間に配置されていてもよい。該捕捉層は矩形形状であってもよい。捕捉層は第１のコア層の長手方向延在部の表面領域を覆う表面延在部を有していてもよい。捕捉層は、吸収コアの部分により、長手方向および横方向に取り囲まれていてもよい。捕捉層は、吸収コアの後部内へ延在していなくてもよく、それにより、第２の折畳み線を中心とした折畳みを改善する。捕捉層は、後方横折畳み線を越えて、かつしたがって第１のコア層の延在部を越えて、長手方向に延在部を有していてもよく、そのような配置は、第２の折畳み線を中心とした折畳みに対して復元力をもたらしかつ吸収コアの後部に向かって折畳み線を横断する流体輸送の向上をもたらすという利点を有する。
【００２２】
弾性部材が、物品の各長手方向側縁部に沿って、少なくともコアの前部と中間部との間の移行部の横方向外側に配置されていてもよい。該弾性部材は表面シートと裏面シートとの間に配置されていてもよい。物品は、弾性部材と、コアの前部と中間部との間の移行部との間に、より具体的には物品の周縁部に配置されているゴム入り生地と第１の吸収層の周縁部との間の領域内に、配置されている吸収材料のない間隔を有していてもよい。各弾性部材は、物品の第１の端部の折畳みを容易にするために、少なくとも吸収コアの前部の最広部の外側縁部まで、延在部を有していてもよい。弾性部材は、折畳みを容易にするために、第１のコア層の後部の横方向後縁部を越えて長手方向に延在していなくてもよい。弾性部材は、該第２の折畳み線を中心とした折畳みを容易にするために、物品の該折畳み線を越えて延在していなくてもよい。
【００２３】
吸収性物品は、一着の下着パンツなどのサポートパンツ衣類の内側に、吸収性物品を固定するための固定手段をさらに含んでいてもよい。該固定手段は取外し可能な保護層により覆われていてもよい。
【００２４】
吸収性物品は少なくとも２つの折畳み線を含む。折畳み線が吸収性物品上で可視であっても、なくてもよい。折畳み線が物品の位置であり、そこでは、物品の構造に因り、折畳みが楽になる。物品の第１の横折畳み線は、コアの前部と中間部との間の、横幅が狭い移行部と一致しているか、またはそれに隣接している。この折畳み線を中心とした折畳みは、コアの残部より狭い幅を有する２つのコア部分間の、横幅が狭い移行部により容易にされる。第２の折畳み線は第１のコア層の横方向後縁部に隣接しており、したがってちょうど第１のコア層の長手方向延在部を越えている。本明細書で規定される隣接している（ａｄｊａｃｅｎｔ）は、ある特徴が別の特徴に近接しているまたはその近くにあることである。第１のコア層は第２のコア層より短い長手方向延在部を有し、表面シートに最も近接しているコア層である。第２の折畳み線を中心とした折畳みは、第１のコア層と第２のコア層との相対サイズにより容易にされ、他のコア構造と比較して、それらの相対位置は剛性をより小さくし、折畳みに対する抵抗をより小さくする。第１の折畳み線および第２の折畳み線を中心とした折畳みは、本明細書において開示されている、可能性のある弾性部材の位置、捕捉層、吸収コアの相対厚さ等により、さらに容易にされ得る。
【００２５】
物品の第１の端部はコアの前部を含む。物品の中央領域がコアの中間部を含む。物品の第２の端部はコアの後部を含む。
【００２６】
本発明の一態様によれば、第１の折畳みは、物品の第１の端部を、第１の横折畳み線を中心として、物品の中央領域上へ折り畳むことにより達成され、該第１の折畳み線は、コアの前部と中間部との間の、横幅が狭い移行部と一致しているか、またはそれに隣接している。第１の折畳みの結果は、物品の第１の端部の表面シートが物品の中央領域の表面シートに対向していることである。第２の折畳みは、物品の第２の端部を、第２の横折畳み線を中心として、第１の折り畳まれた端部上へ折り畳むことにより達成され、該第２の折畳み線は第１の吸収コア層の横方向後縁部に隣接している。第２の折畳みの結果は、物品の第２の端部の表面シートが物品の第１の折り畳まれた端部の裏面シートに対向していることである。
【００２７】
本開示の別の態様によれば、第１の折畳みは、物品の第２の端部を、第２の横折畳み線を中心として、物品の中央領域上へ折り畳むことにより達成され、該第２の折畳み線は第１の吸収コア層の横方向後縁部に隣接している。第２の折畳みは、物品の第１の端部を、第１の横折畳み線を中心として、第２の折畳まれた端部上へ折り畳むことにより達成され、該第１の折畳み線は、コアの前部と中間部との間の、横幅が狭い移行部と一致しているか、またはそれに隣接している。第１の折畳みの結果は、物品の第２の端部の表面シートが物品の中央領域の表面シートに対向していることである。第２の折畳みの結果は、物品の第１の端部の表面シートが物品の第２の折り畳まれた端部の裏面シートに対向していることである。第２の端部および第２の折畳み線が第１の折畳みステップの対象でありかつ第１の端部および第１の折畳み線が第２の折畳みステップの対象である場合、差異がないことに留意すべきである。
【００２８】
本発明は、同封の図を参照して、より入念に記載されるであろう。
【図面の簡単な説明】
【００２９】
【図１】本発明の例示的吸収性物品の上面平面図である。
【図２】図１の吸収性物品の線Ｂ−Ｂに沿った横断面図である。
【図３ａ】図１の吸収性物品を折り畳む連続ステップの立面図である。
【図３ｂ】図１の吸収性物品を折り畳む連続ステップの立面図である。
【図３ｃ】図１の吸収性物品を折り畳む連続ステップの立面図である。
【図３ｄ】図１の吸収性物品を折り畳む連続ステップの立面図である。
【図４ａ】図１の吸収性物品の代替的折畳みの連続ステップの立面図である。
【図４ｂ】図１の吸収性物品の代替的折畳みの連続ステップの立面図である。
【図４ｃ】図１の吸収性物品の代替的折畳みの連続ステップの立面図である。
【発明を実施するための形態】
【００３０】
本発明は、例示的実施形態により、以下により入念に記載されるであろう。しかし、本発明は多くの異なる形態で具体化される可能性があり、図面およびそれに対する説明に記述されている実施形態に限定されると見なされるべきではない。
【００３１】
図１は、物品１が装着された時に装着者の身体の方に向いていることが意図されている側から見た尿漏れ防止パッドの形の吸収性物品１を概略的に示す。該物品１は、等しい長さを有しかつ概ね同一方向に延在している２つの長手方向側縁部２２、２３を有する。前端縁部２４および後端縁部２５が物品１の端部で横方向に延在している。後端縁部２５は、物品１の使用中、後方に配向されていることが意図されており、前端縁部２４は装着者の腹部に向かって前方に向いていることが意図されている。物品１は、流体透過性表面シート２と、流体不透過性裏面シート３と、少なくとも２つのコア層５、６を含む吸収コア４とを含む。第１のコア層５が表面シート２と第２のコア層６との間に配置されている。該第２のコア層６は第１のコア層５と裏面シート３との間に配置されている。コア４は、その長手方向に、前部７、後部９、および該前部７と該後部９との間に配置されている中間部８を有する。第１のコア層５は、吸収コア４の中間部８、および前部７の少なくとも一部に亘って延在している。第２のコア層６は、吸収コアの前部７、中間部８、および後部９に亘って延在している。吸収コア４はコア４の前部７と中間部８との間に狭い横幅１０−１０’を有する。吸収コアは超吸収粒子とパルプ繊維との混合物を含む。
【００３２】
物品は、表面シート２と吸収コア４との間に配置されている捕捉層１４を有する。該捕捉層は吸収コア４の中間部８に亘る延在部を有し、コア４の前部７および後部９内へ部分的に延在している。
【００３３】
表面シート２および裏面シート３は共に、全周に沿って、吸収コア４の横方向外側に延在しており、物品１の周縁部を巡る縁継ぎ手において互いに接続されている。該縁継ぎ手は、接着剤、超音波接着、熱接合等によるなどの、当該技術分野で既知の、任意の適切な方法で形成されていてもよい。表面シート２および裏面シート３は、本明細書に開示されている目的のために、不織材料またはフィルム材料などの、適切な任意の材料で構成されていてもよい。
【００３４】
弾性材料、例えば発泡ゴム入り生地（ｆｏａｍ  ｅｌａｓｔｉｃｓ）、のバンドなどの弾性部材１６、１６’が、表面シート２と裏面シート３との間にかつ物品１の長手方向側縁部２２、２３に沿って配置されている。物品は、弾性部材１６、１６’と、コア４の前部７と中間部８との間の移行部との間に横方向に配置されている、吸収材料のない間隔１７、１７’を有する。各弾性部材は吸収コア４の前部７の最広部の外側縁部１８、１８’まで延在している。本開示の物品の例が、１８ｇｓｍスパンボンド式熱可塑性不織材料の表面シート、ＰＰおよびＰＥＴの５０ｇｓｍ不織ハイロフトの捕捉層を有する図１の尿漏れ防止パッドである。コアは３５％のＳＡＰおよび６５％のパルプ繊維である。裏面シートは２５ｇｓｍプラスチックフィルムの積層および熱可塑性不織材料である。物品の構成要素は接着剤および溶接により互いに接続されている。
【００３５】
図３ａから図３ｄまでは、吸収性物品の２つの折畳みステップを示す。図３ａから始めると、折り畳まれていない物品１、ならびに物品の第１の折畳み線１１、第２の折畳み線１２、第１の端部１９、第２の端部２０、および中央領域２１を示している。図３ｂでは、物品１の第１の端部１９は、コア４の前部７と中間部８との間の、横幅が狭い移行部と一致しているか、またはそれに隣接している第１の横折畳み線１１を中心として、第１の端部１９が物品１の中央領域２１と接触するまで、すなわち第１の端部１９の表面シート２が中央領域２１の表面シート２と接触するまで、折り畳まれる。図３ｃでは、物品１の第２の端部２０が、第１の吸収コア層５の横方向後縁部１３に隣接した第２の横折畳み線１２を中心として、それが既に折り畳まれている物品１の部分１９と接触するまで、すなわち第２の端部２０の表面シート２が第１の端部１９の裏面シート３に対向するまで、折り畳まれる。図３ｄは最終的な折り畳まれた物品１を示す。
【００３６】
図４ａから図４ｃまでは、図３ａに示されている吸収性物品の２つの折畳みステップを示す。図４ａでは、第１の折畳みステップにおいて、物品１の第２の端部２０が、第１のコア層５の横方向後縁部１３に隣接した第２の横折畳み線１２を中心として、第２の端部２０が物品１の中央領域２１と接触するまで、すなわち第２の端部２０の表面シート２が中央領域２１の表面シート２と接触するまで、折り畳まれる。図４ｂは第２の折畳みステップを示し、そこでは、物品１の第１の端部１９が、コア４の前部７と中間部８との間の、横幅が狭い移行部と一致しているか、またはそれに隣接している第１の横折畳み線１１を中心として、それが既に折り畳まれている物品１の部分２０と接触するまで、すなわち第１の端部１９の表面シート２が第２の端部２０の裏面シート３に対向するまで、折り畳まれる。図４ｃは最終的な折り畳まれた物品１を示す。
【符号の説明】
【００３７】
１  吸収性物品
２  流体透過性表面シート
３  裏面シート
４  吸収コア
５  第１のコア層
６  第２のコア層
７  （吸収コア４の）前部
８  （吸収コア４の）中間部
９  （吸収コア４の）後部
１０、１０’  （吸収コア４の）狭い横幅
１１  第１の横折畳み線
１２  第２の横折畳み線
１３  （第１のコア層５の）横方向後縁部
１４  捕捉層
１６、１６’  弾性部材
１７、１７’  間隔
１８、１８’  （前部７の最広部の）外側縁部
１９  第１の端部
２０  第２の端部
２１  中央領域
２２、２３  長手方向側縁部
２４  前端縁部
２５  後端縁部
【図１】
0006840242.tif 000002
【図２】
0006840242.tif 000003
【図３ａ】
0006840242.tif 000004
【図３ｂ】
0006840242.tif 000005
【図３ｃ】
0006840242.tif 000006
【図３ｄ】
0006840242.tif 000007
【図４ａ】
0006840242.tif 000008
【図４ｂ】
0006840242.tif 000009
【図４ｃ】
0006840242.tif 000010